【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
下記一般式（１）で表されることを特徴とする色素化合物。
Ａ−Ｌ1−Ｘ−Ｌ2−Ｂ      （１）
［式中、Ａは下記一般式（２）または（３）で示される部位を示し、Ｂは下記一般式（４）〜（７）のいずれかで示される部位を示し、Ｌ1およびＬ2はＡ、Ｘ、Ｂを共有結合により連結するリンカーであって、それぞれ独立して、−Ｏ−、−ＣＯ−、−ＯＣＯ−、−ＮＲ1−（Ｒ1は水素原子、アルキル基、アリール基、アラルキル基から選ばれる基である）、−ＮＨＣＯ−、−ＮＨＣＯＯ−、−ＮＨＣＯＮＨ−、−ＮＨＣＳＮＨ−、−ＳＯ−、−ＳＯ2−、−ＳＯ2ＮＨ−、−Ｓ−、−ＳＳ−および−ＣＨ2−のいずれかを示し、Ｌ1およびＬ2が同時に−ＣＨ2−になることはなく、Ｘはスペーサー部位であって、炭素原子が１〜１０個のアルキレン基、炭素原子が２〜１０個のアルケニレン基、炭素原子が２〜１０個のアルキニレン基、炭素原子が１〜１０個のアルコキシアルキレン基、炭素原子が５〜７個のシクロアルキレン基、炭素原子が６〜１０個のアリーレン基および糖単位が１〜７個のピラノース型の糖のいずれかを示す。］
【化１】
2005002328.tif 000001
（式中、Ｒ2、Ｒ3はそれぞれ独立に水素原子、炭素数１〜５個の置換もしくは非置換のアルキル基、置換もしくは非置換のアリール基、置換もしくは非置換のアラルキル基を示し、Ｒ4は水素原子、ハロゲン原子、炭素数１〜５個の置換もしくは非置換のアルキル基もしくはアルコキシ基を示し、Ｒ5、Ｒ6はそれぞれ独立に水素原子、ハロゲン原子、置換もしくは非置換のアルキル基、アルコキシ基、ヒドロキシ基、カルボキレート基またはスルホネート基を示し、Ｒ7、Ｒ8はそれぞれ独立に水素原子、炭素数１〜５個の置換もしくは非置換のアルキル基、置換もしくは非置換のアリール基、置換もしくは非置換のアラルキル基を示し、Ｒ9は水素原子、ハロゲン原子、炭素数１〜５個の置換もしくは非置換のアルキル基もしくはアルコキシ基を示し、Ｒ10、Ｒ11はそれぞれ独立に水素原子、ハロゲン原子、置換もしくは非置換のアルキル基、アルコキシ基、ヒドロキシ基、カルボキレート基またはスルホネート基を示す。ただし、一般式（２）ではＲ5、Ｒ6がＬ1と共有結合を形成するための置換基を少なくとも１つ有し、一般式（３）ではＲ10、Ｒ11がＬ1と共有結合を形成するための置換基を少なくとも１つ有する。）
【化２】
2005002328.tif 000002
（式中、Ｒ12は水素原子、ヒドロキシ基、アルキル基、アルケニル基、アルキニル基、アラルキル基、アリール基、アシル基、スルホニル基、スルフィニル基、アルコキシ基、アリールオキシ基、アシルオキシ基、オキシラジカル基を、Ｒ13はヒドロキシ基、カルボキシ基、アミノ基を表わし、Ｒ14、Ｒ15はそれぞれ独立に、水素原子、メチル基、ｔｅｒｔ−ブチル基を、Ｒ16は、ヒドロキシ基、カルボキシ基、アミノ基、スルホニル基を表わし、Ｒ17、Ｒ18はそれぞれ独立に水素原子、ハロゲン原子、ヒドロキシ基、アルキル基、アルコキシ基、カルボキシ基、アシル基またはアシルオキシ基を表わし、Ｒ19、Ｒ20はそれぞれ独立に、水素原子、ハロゲン原子、ヒドロキシ基、アルキル基、カルボキシ基、アルコキシ基、アシル基、アシルオキシ基またはスルホニル基を表わす。ただし、一般式（４）ではＲ13がＬ2と共有結合を形成するための置換基であり、一般式（５）ではＲ16がＬ2と共有結合を形成するための置換基であり、一般式（６）ではＲ17またはＲ18がＬ2と共有結合を形成するための置換基であり、一般式（７）ではＲ19またはＲ20がＬ2と共有結合を形成するための置換基である。）
【請求項２】
請求項１に記載の色素化合物を含有することを特徴とするインクジェット用インク。
【請求項３】
請求項１に記載の色素化合物を含有することを特徴とする電子写真用トナー。
【手続補正２】
【補正対象書類名】明細書
【補正対象項目名】００１１
【補正方法】変更
【補正の内容】
【００１１】
Ａ−Ｌ1−Ｘ−Ｌ2−Ｂ      （１）
［式中、Ａは下記一般式（２）または（３）で示される部位を示し、Ｂは下記一般式（４）〜（７）のいずれかで示される部位を示し、Ｌ1およびＬ2はＡ、Ｘ、Ｂを共有結合により連結するリンカーであって、それぞれ独立して、−Ｏ−、−ＣＯ−、−ＯＣＯ−、−ＮＲ1−（Ｒ1は水素原子、アルキル基、アリール基、アラルキル基から選ばれる基である）、−ＮＨＣＯ−、−ＮＨＣＯＯ−、−ＮＨＣＯＮＨ−、−ＮＨＣＳＮＨ−、−ＳＯ−、−ＳＯ2−、−ＳＯ2ＮＨ−、−Ｓ−、−ＳＳ−および−ＣＨ2−のいずれかを示し、Ｌ1およびＬ2が同時に−ＣＨ2−になることはなく、Ｘはスペーサー部位であって、炭素原子が１〜１０個のアルキレン基、炭素原子が１〜１０個のアルケニレン基、炭素原子が２〜１０個のアルキニレン基、炭素原子が２〜１０個のアルコキシアルキレン基、炭素原子が５〜７個のシクロアルキレン基、炭素原子が６〜１０個のアリーレン基および糖単位が１〜７個のピラノース型の糖のいずれかを示す］。
【化５】
2005002328.tif 000003
（式中、Ｒ2、Ｒ3はそれぞれ独立に水素原子、炭素数１〜５個の置換もしくは非置換のアルキル基、置換もしくは非置換のアリール基、置換もしくは非置換のアラルキル基を示し、Ｒ4は水素原子、ハロゲン原子、炭素数１〜５個の置換もしくは非置換のアルキル基もしくはアルコキシ基を示し、Ｒ5、Ｒ6はそれぞれ独立に水素原子、ハロゲン原子、置換もしくは非置換のアルキル基、アルコキシ基、ヒドロキシ基、カルボキレート基またはスルホネート基を示し、Ｒ7、Ｒ8はそれぞれ独立に水素原子、炭素数１〜５個の置換もしくは非置換のアルキル基、置換もしくは非置換のアリール基、置換もしくは非置換のアラルキル基を示し、Ｒ9は水素原子、ハロゲン原子、炭素数１〜５個の置換もしくは非置換のアルキル基もしくはアルコキシ基を示し、Ｒ10、Ｒ11はそれぞれ独立に水素原子、ハロゲン原子、置換もしくは非置換のアルキル基、アルコキシ基、ヒドロキシ基、カルボキレート基またはスルホネート基を示す。ただし、一般式（２）ではＲ5、Ｒ6がＬ1と共有結合を形成するための置換基を少なくとも１つ有し、一般式（３）ではＲ10、Ｒ11がＬ1と共有結合を形成するための置換基を少なくとも１つ有する。）
【化６】
2005002328.tif 000004
（式中、Ｒ12は水素原子、ヒドロキシ基、アルキル基、アルケニル基、アルキニル基、アラルキル基、アリール基、アシル基、スルホニル基、スルフィニル基、アルコキシ基、アリールオキシ基、アシルオキシ基、オキシラジカル基を、Ｒ13はヒドロキシ基、カルボキシ基、アミノ基を表わし、Ｒ14、Ｒ15はそれぞれ独立に、水素原子、メチル基、ｔｅｒｔ−ブチル基を、Ｒ16は、ヒドロキシ基、カルボキシ基、アミノ基、スルホニル基を表わし、Ｒ17、Ｒ18はそれぞれ独立に水素原子、ハロゲン原子、ヒドロキシ基、アルキル基、アルコキシ基、カルボキシ基、アシル基またはアシルオキシ基を表わし、Ｒ19、Ｒ20はそれぞれ独立に、水素原子、ハロゲン原子、ヒドロキシ基、アルキル基、カルボキシ基、アルコキシ基、アシル基、アシルオキシ基またはスルホニル基を表わす。ただし、一般式（４）ではＲ13がＬ2と共有結合を形成するための置換基であり、一般式（５）ではＲ16がＬ2と共有結合を形成するための置換基であり、一般式（６）ではＲ17またはＲ18がＬ2と共有結合を形成するための置換基であり、一般式（７）ではＲ19またはＲ20がＬ2と共有結合を形成するための置換基である。）
【手続補正３】
【補正対象書類名】明細書
【補正対象項目名】００１４
【補正方法】変更
【補正の内容】
【００１４】
本発明においては、Ａは色素部位であり、主に発色性および鮮明性に寄与し、Ｂは安定化部位であり、色素の退色防止能を有し、Ｌ1およびＬ2はＡ、Ｘ、Ｂを共有結合により連結し、Ｘはスペーサー部位であり、−Ｌ1−Ｘ−Ｌ2−が色素部位Ａと安定化部位Ｂの空間的距離に寄与する。